(57)【要約】【課題】杉や桧の間伐材と廃棄物を利用して、魚介類の餌となる海藻類が付着しやすい人工魚礁を提供する。【解決手段】外枠（２）の内側に設けた中枠（１）との間に上下四方の隙間（５）を設ける。中枠の中に廃棄物（６）を混入し、廃棄プラスチック類を加熱処理した溶液（７）を廃棄物の上及び中枠と外枠との隙間が埋まるように流し入れ、外枠の上部を蓋（４）し、魚礁ユニット（８）という一の固体を作り、その固体同士を任意に組み合わせることを特徴とする人工魚礁。【選択図】    図１
2004350670.tif 000002
【特許請求の範囲】
【請求項１】
外枠の内側に設けた中枠に廃棄物を混入し、その後、外枠と中枠との隙間が埋まるように凝固剤を混入した溶液を廃棄物の上から流し込み、一の固体を作り、その固体同士を任意に組み合わせることを特徴とした人工魚礁。
【発明の詳細な説明】
【０００１】
【発明の属する技術分野】
この発明は、間伐材と廃棄物を利用した人工魚礁に関するものである。
【０００２】
【従来の技術】
従来、人工魚礁はコンクリート製や廃船を使い、最近では、間伐材で作った魚礁が使われている。
【０００３】
【発明が解決しようとする課題】
これは次の欠点があった。
イ、コンクリート製の人工魚礁は、魚の回遊効果が高いかどうかは不明で、コストがかかり、素材の提供にも限界がある。また、廃船の数が少なく、外観から言ってもイメージが悪い。
ロ、全国の海岸で藻場を形成するホンダワラやヒロメなどの海藻類が消滅する「磯焼け」現象が１９５０年代から深刻化しており、海藻類を餌とするアワビやウニなどが育たなくなるほか、イカの産卵、イセエビ、小魚なども少なくなっており、藻場の再生が急がれている。
ハ．安価な外国材に押され、国内産の杉や桧の木材需要が伸びず、経費のかかる間伐まで手が回らない。従って森林の荒廃が進み災害や環境破壊の原因にもなっている。また、生態系が崩れ、野鳥や動物など生物の生息に重大な影響を与えている。
ニ．一般廃棄物や産業廃棄物は、焼却炉を使って焼くか埋め立てによって処分するが、焼却すると排ガスに含むダイオキシン類が発生し、その対策に悩まされている。
ホ、家庭などから出るゴミを乾燥し、石灰を混ぜて固形燃料を作って燃やして発電し、電気会社に売電しているが、焼却時にダイオキシンが発生する。この処理装置の運転維持費が数十億と巨額であることと、焼却灰の処理対策もめどがたっていない。
ヘ．毎日出る多量の生ゴミは焼却処分以外、他の適切な処理策は未定のまま。
ト．廃棄物の埋立処分地の立地は、住民の反対が強く見通しが立っていない。
チ．ゴミの最終処分場に埋められた大量の焼却灰などを高温で溶かし、灰の容量を半分以下にするガス化熔融炉は１基当たり数十億円もかかる。
本発明は以上の欠点を解決するため、間伐材と廃棄物を利用して一固体を作り、その固体同士を任意に組み合わせて作る人工魚礁に関するものである。
【０００４】
【課題を解決するための手段】
外枠の内側に設けた中枠に廃棄物を混入し、その後、外枠と中枠の隙間が埋まるように凝固剤を混入した溶液を廃棄物の上から流し込み、一の固体を作り、その固体同士を任意に組み合わせることを特徴とする人工魚礁である。
【０００５】
【発明実施の形態】
以下、本発明の実施の形態を説明する。
第１工程  杉や桧の間伐材の板を使って、四角形状の中枠（１）と外枠（２）を作る。素材となる板は、中枠用として、大板を厚さ２センチ、幅２０センチ、長さ１・５メートルのを２６枚。下駄状態にするため、４枚は厚さ幅は同じで、長さ１・７メートルとする。厚さ幅同じで、長さ１メートルのを底用として１０枚。小板を厚さ１センチ、幅９センチ、長さ２メートルのを９枚、厚さ幅同じで、長さ１メートルのを６枚を用意する。外枠用として、大板を厚さ２センチ、幅２０センチ、長さ１・９メートルのを３８枚。厚さ幅同じで、長さ１・４メートルのを上蓋用１２枚、底用１２枚。小板を厚さ１センチ、幅９センチ、長さ２・４メートルのを１２枚。厚さ幅同じで、長さ１・４メートルのを６枚を用意する。
第２工程  中枠、外枠を組み立てるために、小板を均等に３枚下に置き、その上に大板を並べる。クギもしくは速乾性の強力接着剤で固めて、中枠（１）、外枠（２）を作る。外枠（２）の内側に設ける中枠の底辺が下駄を履かせた状態に空くように、中枠（１）の外側四隅（３）に、長さ１・７メートルの大板４枚を配置し中枠を完成する。（図１）。
次いで、外枠（２）の中に中枠（１）を入れ（図２）、上下左右四方が２０センチの隙間（５）ができるようにする。
第３工程  無害の木屑、紙くず、金属くず、ガラスくず、布くず、畳くず、ゴムくず、陶磁器類、石、園芸用使用済の土、コンクリート片及び生ゴミなどの廃棄物（６）を乾燥、切断、破砕、砕、圧縮して全体の容積を減少させ中枠（１）の中に混入する（図３）。
第４工程  その上に、無害の廃棄プラスチック類を加熱処理で溶液（７）にし、凝固剤を加え流し込む。すると外枠と中枠の隙間にもプラスチックの溶液が入り込み、外枠の天場まで達し、中枠の中に混入した廃棄物（６）も覆われる（図４）。固まれば、まるで継ぎ目がない分厚いプラスチック製のサイコロのような物ができあがる。
第５工程  外枠部分の上部に板で蓋（４）をし（図５）、クギで打ち込むか速乾性の強力接着剤で固めると上下四方が板で囲まれた、四角形状の魚礁ユニット（８）ができあがる（図６）。
第６工程  木材の魚礁は、魚、伊勢エビやアワビなどの餌となる海藻類が付着しやすいという利点があるため、魚礁ユニットの型枠の板は外さない。人工魚礁は、例えば、魚が出入りできる窓が空いたアパート（図７）やテーブルサンゴ（図８）に組み立てる場合は、アパートやテーブルサンゴのパターン図を描き、魚礁ユニット同士を任意に速乾性の強力な接着剤で組み合わせ完成させるとよい。形は多少いびつでもいい。サイズも自由にできる。
第７工程  できあがった人工魚礁を港に運搬し、台船に乗せ替え、重りをつけて海底１０メートル前後の位置に沈める。魚介類が付着しやすい海藻類は、太陽の光が届く深さでないと生育は難しいからである。
【０００６】
【発明の効果】
イ．本発明を使用することによって、新しい藻場や漁場作りにも貢献できる。
ロ．森林の間伐が促進され、豊かな森の再生に寄与する。
ハ．一般・産業廃棄物の再利用が進み、ゴミの焼却、埋め立てが激減する。必然的に環境汚染、環境破壊が改善され、資源循環型社会の形成に一石を投じることになる。廃棄物の処理にかかる初期投資費用や維持管理費も少なくて済む。
ニ．着色したテーブルサンゴやキノコやマンガの登場人物など、楽しいキャラクターの人工魚礁があれば、子供たちに夢を売る海中散歩や海底遊覧の企画も可能。海底アパートにいろんな魚が出入りしていると人気が上がる。
ホ．新たな雇用が発生する。
ヘ．森と海に働く人達の結び付きにも一役買う。
ト．海洋は無限に近い広さがあり、世界のエコロジー政策の一助にもなり、諸外国へも輸出が可能で、外貨の獲得にもつながる。
【図面の簡単な説明】
【図１】本発明の斜視図
【図２】本発明の斜視図
【図３】本発明の斜視図
【図４】本発明の斜視図
【図５】本発明の斜視図
【図６】本発明の斜視図
【図７】本発明の使用状態を示す斜視図
【図８】本発明の使用状態を示す斜視図
【符号の説明】
１  中枠
２  外枠
３  中枠の底の外側四隅
４  蓋
５  隙間
６  廃棄物
７  溶液
８  魚礁ユニット
【図１】
2004350670.tif 000003
【図２】
2004350670.tif 000004
【図３】
2004350670.tif 000005
【図４】
2004350670.tif 000006
【図５】
2004350670.tif 000007
【図６】
2004350670.tif 000008
【図７】
2004350670.tif 000009
【図８】
2004350670.tif 000010